【事件の表示】
　特願２０００−１２８６１１「オンラインショッピングシステム」拒絶査定不服審判事件〔平成１３年１０月　５日出願公開、特開２００１−２７３４２３〕について、次のとおり審決する。
【結　論】
　本件審判の請求は、成り立たない。
【理　由】
１．手続の経緯
　本願は、平成１２年３月２５日の出願であって、平成１４年７月２３日付で拒絶理由が通知され、同年９月３０日付で手続補正書が提出されたが、平成１４年１２月１２日付で拒絶査定がなされ、その後、平成１５年１月２３日に拒絶査定に対する審判請求がなされるとともに、同年２月２６日付で手続補正がなされたものである。
　
２．平成１５年２月２６日付の手続補正についての補正却下の決定
［補正却下の決定の結論］
　　平成１５年２月２６日付の手続補正を却下する。
［理由］
（２．１）本件補正の内容
　本件補正により、平成１４年１２月１２日付の手続補正書における特許請求の範囲の
「【請求項１】インターネットを介して接続してくるクライアントコンピュータからの要求によりクライアントコンピュータとの間でハイパーテキストをやり取りするＷＷＷサーバと、クライアントコンピュータからの購入要求により商品の販売処理を行なう販売サーバと、背景画像と商品画像と、この商品画像からリンクされるべきこの商品の購入受付用のハイパーテキストとを格納した記憶装置とから成るオンラインショッピングシステムに於いて、
記憶装置に商品の最適な使用状況を提示するための背景画像と商品画像との対応表を格納しておき、
クライアントコンピュータからの背景画像または商品画像に関する送信要求によって、前記対応表に基づき背景画像に対応する商品画像または商品画像に対応する背景画像を選択し、この選択した商品画像を背景画像の上に重ねて合成すると共に、この選択した商品画像からこの商品の購入受付用のハイパーテキストにリンクを張った提案用のハイパーテキストを生成することを特徴とする、オンラインショッピングシステム。
【請求項２】インターネットを介して接続してくるクライアントコンピュータからの要求によりクライアントコンピュータとの間でハイパーテキストをやり取りするＷＷＷサーバと、クライアントコンピュータからの購入要求により商品の販売処理を行なう販売サーバと、背景画像と商品画像と、この商品画像からリンクされるべきこの商品の購入受付用のハイパーテキストとを格納した記憶装置とから成るオンラインショッピングシステムら於いて、
クライアントコンピュータから送られて来る提示画像を表示する表示装置と、
この提示画像を編集するための入力装置とを備え、
この提示画像を背景画像としてこの背景画像の上に、オペレータが記憶装置内から読み出した商品画像を重ねて合成すると共に、この選択した商品画像からこの商品の購入受付用のハイパーテキストにリンクを張った提案用のハイパーテキストを生成することを特徴とする、オンラインショッピングシステム。
【請求項３】商品画像が写真である請求項１または請求項２に記載のオンラインショッピングシステム。
【請求項４】更に背景画像が写真である請求項３に記載のオンラインショッピングシステム。
【請求項５】クライアントコンピュータ側で前記商品画像上にポインティングデバイスのポインタを置いた時にその場所に商品解説が表示されるように、前記提案用のハイパーテキストの商品画像を指定するタグ中に商品解説を挿入した、請求項１または請求項２に記載のオンラインショッピングシステム。
【請求項６】クライアントコンピュータの表示装置に、前記商品の購入受付用のハイパーテキストと前記提案用のハイパーテキストとが各々別々のＷＷＷブラウザ画面に表示されるように、前記提案用のハイパーテキストの商品画像を指定するタグ中に別窓表示属性を挿入した、請求項１または請求項２に記載のオンラインショッピングシステム。
【請求項７】クライアントコンピュータの表示装置に、前記商品の購入受付用のハイパーテキストと前記提案用のハイパーテキストとが同一のＷＷＷブラウザ画面内にフレーム分けされて表示されるように、フレーム形式のハイパーテキストを送信する、請求項１または請求項２に記載のオンラインショッピングシステム。」は、
本件補正後の特許請求の範囲の、
「【請求項１】背景写真画像と商品写真画像とから成る写真画像を表示するためのハイパーテキストと、前記商品写真画像からリンクしたこの商品の購入受付用のハイパーテキストとを格納した記憶装置と、インターネットを介して接続してくるクライアントコンピュータからの要求によって前記ハイパーテキストを記憶装置から読み出してクライアントコンピュータへ送信するＷＷＷサーバとから成る電子カタログ装置に於いて、クライアントコンピュータのＷＷＷブラウザに表示される前記商品写真画像上にポインティングデバイスのポインタを置いた時に、その場所に商品解説が吹き出し状に表示されて、吹き出しの有無の違いでその画像が写真画像中で背景ではなく商品についてのものであることが分かるように、前記ハイパーテキストのソースコードの商品写真画像を指定するタグ中に前記商品解説を挿入して成ることを特徴とする、電子カタログ装置。」
に補正された。
　
（２．２）補正の適否
　本件補正は、拒絶査定に対する審判請求時の補正であるから、特許法第１７条の２第１項第３号に掲げる場合の補正に該当し、本件補正による特許請求の範囲についてする補正は、同条第４項の規定により同項第１号から第４号に掲げる事項を目的とするものに限られる。
　そこで、本件補正が特許法第１７条の２第４項各号に掲げる事項のいずれを目的とするものであるかを検討すると、本件補正は、補正前の「オンラインショッピングシステム」に関する請求項１ないし７を削除し、新たに、特許を受けようとする発明を「電子カタログ装置」とする請求項１を追加するものであり、また、その結果、補正後の請求項１では、補正前の独立請求項である請求項１、及び、請求項２に記載した発明を特定するために必要な事項である「クライアントコンピュータからの購入要求により販売処理を行う販売サーバ」が削除されていることにもなるから、本件補正は、特許法第１７条の２第４項第１号の請求項の削除、同項第２号の特許請求の範囲を限定的に減縮、同項第３号の誤記の訂正、あるいは同項第４号の明りょうでない記載の釈明のいずれを目的とするものでもないことは明らかである。
　したがって、本件補正は、特許法第１７条の２第４項柱書きの規定に違反するものであり、特許法第１５９条第１項で準用する特許法５３条第１項の規定により却下されるべきものである。
　
３．本願発明
　平成１５年２月２６日付の手続補正は上記のとおり却下されたので、本件出願の請求項１に係る発明（以下、「本願発明」という。）は、平成１４年９月３０日付の手続補正書の特許請求の範囲の請求項１に記載された事項により特定される以下のとおりのものである。
「インターネットを介して接続してくるクライアントコンピュータからの要求によりクライアントコンピュータとの間でハイパーテキストをやり取りするＷＷＷサーバと、クライアントコンピュータからの購入要求により商品の販売処理を行なう販売サーバと、背景画像と商品画像と、この商品画像からリンクされるべきこの商品の購入受付用のハイパーテキストとを格納した記憶装置とから成るオンラインショッピングシステムに於いて、
記憶装置に商品の最適な使用状況を提示するための背景画像と商品画像との対応表を格納しておき、
クライアントコンピュータからの背景画像または商品画像に関する送信要求によって、前記対応表に基づき背景画像に対応する商品画像または商品画像に対応する背景画像を選択し、この選択した商品画像を背景画像の上に重ねて合成すると共に、この選択した商品画像からこの商品の購入受付用のハイパーテキストにリンクを張った提案用のハイパーテキストを生成することを特徴とする、オンラインショッピングシステム。」
　
４．引用例
（４．１）原査定の拒絶の理由に引用された特開平９−３３０３６０号公報（以下、「引用例１」という。）には、下記（ａ）ないし（ｄ）の事項が記載されている。
　　　（ａ）「【００２７】電子モールシステムは、購入者・クライアント１、モールサーバ２、電子ショップ・クライアント３のハードウエアから構成する。これらはネットワークで物理的に接続されている。購入者・クライアント１および電子ショップ・クライアント３はそれぞれ入出力装置11、31を備える。電子ショップ・クライアント３では、入出力装置31を介して電子ショップを定義する手段４において電子ショップ定義情報７を定義する。電子ショップを定義する手段４は、ショップレイアウト定義機能41と、バスケット電子伝票定義機能42と、商品登録機能43からなる。」
　　　（ｂ）「【００３２】購入者・クライアント１において、入出力装置11から電子ショップ出店情報８の表示を指示されると、 World Wide Web（以下、ＷＷＷと記す）ブラウザ12およびモールサーバ２のＷＷＷサーバ・ＣＧＩ21（Common Gateway Interface：アプリケーション・プログラム・インタフェース）を介して、電子ショップ出店情報８から表示情報を生成する手段６が起動する。電子ショップ出店情報８から表示情報を生成する手段６は、電子ショップ出店情報８を参照し、購入者・クライアント１への表示情報を生成する。電子ショップ出店情報８から表示情報を生成する手段６は、パラメータ解析機能61とファイル検索機能62と表示データ生成機能63からなる。
【００３３】モール情報DB９はモールを運営するための画面の情報やプログラム、顧客情報などを格納する。パラメータ解析機能61は、購入者クライアントから入力された表示要求ページ情報を含むパラメータを解析する。ファイル検索機能62は、パラメータ解析機能61の解析結果を元にショップ管理DB81、ショップレイアウトDB82、バスケット電子伝票DB83、バスケットDB84、商品DB85あるいはモール情報DB９を検索する。
【００３４】表示データ生成機能63はファイル検索機能62の検索結果を元に、ＷＷＷページとして表示可能なデータを生成するＷＷＷページジェネレーターである。
【００３５】本電子モールシステムにおいて「日立グループ」モールの「生花」で、「カーネーション」を購入する場合の購入者・クライアント１における入出力装置11の動作について図２を元に説明する。
【００３６】ステップ111：購入者は物理的にインターネットに接続可能なクライアント・パソコン上で、モールのＵＲＬを指定する。
【００３７】ステップ112：モール入口画面で、「ショッピング・ストリート」を選択する。
ステップ113：店名リスト画面で、目的の店名「生花」を選択する。
ステップ114：サービス一覧画面で、「商品一覧」を選択する。
ステップ115：商品一覧画面で、「カーネーション」を選択する。
ステップ116：商品表示画面で、「買い物籠に入れる」を選択する。
【００３８】ステップ117：購入者が、現在選んだ状態の商品を一覧で表示するショッピング・バスケット表示画面で、購入者が「お申し込み」を指示すると、購入のための処理（電子メールでモールにメールが送られるなど）が実行される。画面は操作者の指示により、モール入口画面あるいは店名リストに戻り、処理もステップ112あるいはステップ113に戻る。」
　　　（ｃ）「【００６２】商品一覧画面の表示処理について説明する。商品一覧画面は、ショップレイアウトDB82が格納するショップ名"flower"のP2A画面で、商品一覧背景画面に、商品DB85で格納する商品情報を合成した画面であり、購入者・クライアント１の入出力装置11に表示し、購入者が入出力装置11を介して詳細を知りたい商品あるいは、購入しようとする商品を選択できる状態にする。
【００６３】商品ＤＢ85の項目について説明する。
* カテゴリ：商品を分類するカテゴリ名。
* 表示順序：商品棚での表示順序。
* ＩＴＥＭ：商品の注文に使用するコード
* 名称：商品の名称。
* 価格：商品の価格。
* 仕様：商品の仕様。
* 画像：商品の概観を表わす画像データを格納するファイル名。
* 説明：商品を紹介する説明文。
* 型番：商品のメーカ型番。
【００６４】商品ＤＢ85の内容を図１２に示す。商品一覧背景画面データはＨＴＭＬで記述され、ショップレイアウトDB82に格納される。商品情報は、商品コード、商品名、価格、商品の説明と商品管理情報などのテキストデータと商品の画像データからなり、商品DB85はテキストデータ及びイメージ画像データを格納するファイル名を格納する。
【００６５】商品一覧画面情報は、以下のステップで生成する。
パラメータ解析61：ＵＲＬ"/cgi-bin/page?SHOPID=flower&TEMPLATE=P2A.html& CATEGO=C1&SN=1&EN=20＆COSTUM=顧客ID"　　（113.1）を解析し、パラメータ"flower"より対象の店を特定し、パラメータ" P2A.html"よりP2A画面生成のための処理を開始。
【００６６】ファイル検索62：ショップレイアウトDB82から"flower"のP2A画面情報、商品DB85からカテゴリC1の商品を商品番号1から20個までの商品情報を検索。
表示データ生成63：検索結果のショップレイアウト画面データと商品情報を合成し、P2A画面のＨＴＭＬソース・コードを生成。
【００６７】商品一覧画面のＨＴＭＬソース・コードの一部（アンカー部分）を示す。<A HREF="/cgi-bin/page?SHOPID=flower&TEMPLATE=P3A.html＆ITEM=S001&COSTUM=顧客ID" >カーネーション</A>　（114.1）<A HREF="/cgi-bin/page?SHOPID=flower&TEMPLATE=P3A.html＆ITEM=S002&COSTUM=顧客ID" >デンファレ</A>　　（114.2）<A HREF="/cgi-bin/page?SHOPID=flower&TEMPLATE=P3A.html＆ITEM=S003&COSTUM=顧客ID" >バラ</A>　　　　　（114.3）<A HREF="/cgi-bin/page?SHOPID=flower&TEMPLATE=P3A.html＆ITEM=S004&COSTUM=顧客ID" >スイートピー</A>（114.4）<A HREF="/cgi-bin/page?SHOPID=flower&TEMPLATE=P3A.html＆ITEM=S005&COSTUM=顧客ID" >仏事用</A>　　　　（114.5）
ステップ115において購入者が表示された商品一覧画面から「カーネーション」を選択した場合、つまりＵＲＬ"/cgi-bin/page?SHOPID=flower&TEMPLATE=P3A.html＆ITEM=S001&COSTUM=顧客ID"（114.1）を指定された場合、「生花」店のP3A画面（ここでは商品画面）を表示する（図９）。
【００６８】商品画面の表示処理について説明する。商品画面は、ショップレイアウトDB82が格納するショップ名"flower"のP3A画面で、商品背景画面に、商品DB85で格納する商品情報を合成した画面であり、購入者・クライアント１の入出力装置11に表示し、購入者が入出力装置11を介して商品を購入するかいなかを選択できる状態にする。
【００６９】商品背景画面データはＨＴＭＬで記述され、ショップレイアウトDB82に格納される。商品情報は、商品コード、商品名、価格、商品の説明と商品管理情報などのテキストデータと商品の画像データからなり、商品DB85はテキストデータ及びイメージ画像データを格納するファイル名を格納する。」
　　　（ｄ）「【００７９】バスケット表示画面のＨＴＭＬソース・コードの一部（アンカー部分）を示す。<A HREF="/cgi-bin/SHOPPING?Order=%8Dw%93%FC&COSTUM=顧客ID " >お申し込み</A>　（116.1）
ステップ117において購入者が「お申し込み」を指示した場合、つまりＵＲＬ"/cgi-bin/SHOPPING?Order=%8Dw%93%FC&COSTUM=顧客ID "　（116.1）を指定された場合、購入処理を実行する。購入処理情報はモール情報DB９が格納する。
【００８０】購入処理は、以下のステップで実行する。
パラメータ解析61：ＵＲＬ"/cgi-bin/SHOPPING?Order=%8Dw%93%FC&COSTUM=顧客ID "　（116.1）を解析し、パラメータ顧客IDより顧客を特定する。パラメータ" Order=%8Dw%93%FC "より購入処理を開始。
【００８１】ファイル検索62：バスケットDB84から顧客IDに該当する商品情報、モール情報DB９から購入処理プログラムを検索。
表示データ生成63：検索結果の購入処理に記述されている処理（ＣＧＩスクリプト）を実行し、バスケットDB84から購入した商品情報を削除。
【００８２】購入処理はモールで予め設定されている。購入者・クライアント２の入出力装置21に申込伝票を表示し、購入者に支払方法、商品の配達先などの必要事項を入出力装置21から入力させ、通信手段を介して送信させる。受信後の処理については、本発明の範囲外であるので、ここでは詳述しない。」
　
　そこで、引用例１の記載を検討するに、上記摘記事項（ａ），上記摘記事項（ｂ）の第３２，３６段落によれば、引用例１の電子モールシステムは、「インターネットを介して接続してくる購入者クライアントからの要求により購入者クライアントとの間で表示情報をやりとりするＷＷＷサーバ・ＣＧＩ」を有し、上記摘記事項（ｃ）の第６４段落によれば、前記「表示情報」はハイパーテキストであるから、引用例１の電子モールシステムは、「インターネットを介して接続してくる購入者クライアントからの要求により購入者クライアントとの間でハイパーテキストをやりとりするＷＷＷサーバ・ＣＧＩ」を有している。
　また、上記摘記事項（ｂ）の第３８段落によれば、購入申込みがモールで受信され、上記摘記事項（ｄ）によれば、モールで受信後の購入処理は詳述しないとあるから、引用例１の電子モールシステムは「購入者クライアントからの購入要求により購入処理を行う購入処理手段」を有していることは明らかである。
　また、上記摘記事項（ｃ）の第６４段落によれば、商品一覧背景画面データはＨＴＭＬであり、ショップレイアウトＤＢに格納され、商品情報は商品の画像データを含み、商品ＤＢに格納されており、上記摘記事項（ｃ）の第６７ないし６９段落によれば、商品一覧画面から商品が選択された場合、購入者が商品を購入するか否かを選択する商品画面を表示し、商品画面は商品情報と商品背景画面とから合成され、商品背景画面はＨＴＭＬであり、ショップレイアウトＤＢに格納されているから、引用例１の電子モールシステムは、「商品の画像データを含む商品情報を格納した商品ＤＢと、商品一覧背景画面データを格納するショップレイアウトＤＢとを有し、この商品情報からリンクされるべきこの商品の購入用商品画面のハイパーテキストを商品ＤＢの商品情報とショップレイアウトＤＢの商品背景画面とから合成する購入用商品画面合成手段」を有している。
　また、上記摘記事項（ｂ）の第３７段落，上記摘記事項（ｃ）の第６６ないし６９段落によれば、引用例１の電子モールシステムは、「購入者クライアントからの商品一覧の要求によって、商品画像一覧背景画面データと商品情報を検索し、検索された商品画像一覧背景画面データと商品情報とを合成し、ハイパーテキストを作成すると共に、商品情報から商品の購入用商品画面のハイパーテキストにリンクを張ったハイパーテキストを生成する」ものであるといえる。
　したがって、引用例１には、
「インターネットを介して接続してくる購入者クライアントからの要求により購入者クライアントとの間でハイパーテキストをやりとりするＷＷＷサーバ・ＣＧＩと、購入者クライアントからの購入要求により購入処理を行う購入処理手段と、商品の画像データを含む商品情報を格納した商品ＤＢと、商品一覧背景画面データを格納するショップレイアウトＤＢとを有し、この商品情報からリンクされるべきこの商品の購入用商品画面のハイパーテキストを商品ＤＢの商品情報とショップレイアウトＤＢの商品背景画面とから合成する商品画面合成手段とからなる電子モールシステムにおいて、
購入者クライアントからの商品一覧の要求によって、商品画像一覧背景画面データと商品情報を検索し、検索された商品画像一覧背景画面データと商品情報とを合成し、ハイパーテキストを作成すると共に、商品情報から商品の購入用商品画面のハイパーテキストにリンクを張ったハイパーテキストを生成することを特徴とする、電子モールシステム。」の発明（以下、「引用例１発明」という。）が開示されていると認められる。
　
（４．２）同じく、原査定の拒絶の理由に引用された特開平９−１３８８６０号公報（以下、「引用例２」という。）には、下記（ｅ）の事項が記載されている。
　　　（ｅ）「【００４３】商店管理情報は、図１１に示すように、商店管理情報のデータサイズと、商店を商店モールに登録した年月日と、商店画像データのアドレス（データ位置情報）と、商店で販売している商品の数（商店の画像データにオーバレイされている商品の数）と、商店内における各商品の位置と各商品の商品情報とを対応づけるリンク情報と、予備領域（将来拡張用領域）とから構成されている。
【００４４】図８に戻って、商店画像データは、仮想空間上で作成された商店の画像に、商品の画像を重畳（オーバレイ）した画像データである。そして、商店画像データは、前述したように、ＪＰＥＧ規格に従って圧縮され、ＪＰＥＧ規格のデータフォーマットのＡＰＰ（ユーザ定義エリア）に、商店の大きさを示すスケール情報がマッピングされている。
【００４５】通信モデム２４は、登録データ作成装置１からの商品情報の受信、登録データ作成装置１への商品の発注データの送信、商品仮想試用装置３への商店モール情報の送信、及び商品仮想試用装置３からの商品の発注データの受信を行う。
【００４６】ＲＯＭ２５は、ＣＰＵ２６が実行すべきアプリケーションプログラムを格納している。ＲＡＭ２７は、商品情報を一旦格納する。
【００４７】ここで、ＣＰＵ２６がＲＯＭ２５のアプリケーションプログラムを実行することにより実現される機能について図１２に沿って説明する。仮想商店作成装置２は、スケール調整部７、画像重畳部８、仮想商店表示処理部９、及び受発注処理部３８を備えている。
【００４８】スケール調整部７は、商店画像データに商品の画像データを重畳する際に、商品のスケール情報と店のスケール情報とを照合して、商店の表示サイズに対する商品の表示サイズを決定する。
【００４９】画像重畳部８は、商店画像データに、スケール調整部７によって決定された表示サイズの商品の画像データを重畳する。ここで、商品の画像データを重畳する位置は、マウス２０によって指定された位置とする。
【００５０】仮想商店表示処理部９は、画像重畳部８によって作成された商店画像データに、重畳された商品の商品情報と商店管理情報とを付加して商店情報を作成する。さらに、仮想商店表示処理部９は、商品の画像データを重畳された商店画像データをＣＲＴ２２に表示する。そして、仮想商店表示処理部９は、完成した商店情報を商店データベース（ＤＢ）２３の商店モール情報に登録し、商店モール管理情報の内容を更新する。また、仮想商店表示処理部９は、キーボード２１あるいはマウス２０によって商店モール情報の送信コマンドが入力されると、商店データベース（ＤＢ）２３から、ユーザが希望する商店モールの商店モール情報を読み出し、読み出された商店モール情報を通信モデム２４から商品仮想試用装置３へ送信する。」
　
（４．３）また、特開平１０−２０７９４１号公報（以下、「周知文献」という。）には、下記（ｆ），（ｇ）の事項が記載されている。
　　　（ｆ）「【０００２】
【従来の技術】近年、家具、システムキッチン等の据付け型の大型商品の販売、購入にあたって、実際の使用シーンを想定した事前のシミュレーションをコンピュータ上で行い、顧客に提供するシステムが存在する。」
　　　（ｇ）「【００５２】
【発明の効果】以上説明したように本発明によれば、衣料品、服飾品等の商品情報に加え、それらの商品を実際に使用するシーンをイメージ写真等の形で提供し、しかも、商品を着用した状態のイメージを実際のシーンに合成して見せることができるので、顧客であるユーザが、事前に商品を着用したシーンを的確に想像させることができるので、購入の可否の決断を正確に促すことができる。」
　
５．対比
　そこで、本願発明と引用例１発明とを対比すると、引用例１発明の「購入クライアント」、「ＷＷＷサーバ・ＣＧＩ」は、それぞれ、本願発明の「クライアントコンピュータ」、「ＷＷＷサーバ」に相当する。
　また、引用例１発明の「電子モールシステム」は、オンラインショッピングを行うものであるから、「オンラインショッピングシステム」であるといえる。
　また、引用例１発明の「購入処理を行う購入処理手段」は、販売者側からいえば、販売処理を行う販売処理手段であるから、本願発明の「販売処理を行う販売サーバ」とは、「販売処理を行う販売処理手段」という上位概念で共通する。
　また、引用例１発明の「商品一覧背景画面データ」と本願発明の「背景画像」とはいずれも「背景データ」という上位概念で共通する。
　また、引用例１発明の「商品情報」は商品の画像データを含むものであるから、本願発明の「商品画像」とは、いずれも「商品に関するデータ」という概念で共通する。
　また、引用例１発明の「商品ＤＢ」と「ショップレイアウトＤＢ」は、いずれも「記憶手段」であるから、本願発明の「記憶装置」とは「記憶手段」という概念で共通する。
　また、引用例１発明は「この商品情報からリンクされるべきこの商品の購入用商品画面のハイパーテキストを商品ＤＢの商品情報とショップレイアウトＤＢの商品背景画面とから合成する購入用商品画面合成手段」を有しているから、引用例１発明のオンラインショップシステムは、「この商品情報からリンクされるべきこの商品の購入受付用のハイパーテキスト」を有しているといえる。
　また、引用例１発明の「購入者クライアントからの商品一覧の要求によって、商品画像一覧背景画面データと商品情報を検索し、検索された商品画像一覧背景画面データと商品情報とを合成し、ハイパーテキストを作成すると共に、商品情報から商品の購入用商品画面のハイパーテキストにリンクを張ったハイパーテキストを生成すること」と、本願発明の「クライアントコンピュータからの背景画像または商品画像に関する送信要求によって、前記対応表に基づき背景画像に対応する商品画像または商品画像に対応する背景画像を選択し、この選択した商品画像を背景画像の上に重ねて合成すると共に、この選択した商品画像からこの商品の購入受付用のハイパーテキストにリンクを張った提案用のハイパーテキストを生成すること」とは、「クライアントコンピュータからの送信要求によって、商品に関するデータと背景データとを合成すると共に、商品に関するデータからこの商品の購入受付用のハイパーテキストにリンクを張ったハイパーテキストを生成すること」という点で共通する。
　してみれば、本願発明と引用例１発明とは、
「インターネットを介して接続してくるクライアントコンピュータからの要求によりクライアントコンピュータとの間でハイパーテキストをやり取りするＷＷＷサーバと、クライアントコンピュータからの購入要求により商品の販売処理を行なう販売手段と、背景データと商品に関するデータとを格納した記憶手段と、この商品に関するデータからリンクされるべきこの商品の購入受付用のハイパーテキストとから成るオンラインショッピングシステムに於いて、
クライアントコンピュータからの送信要求によって、商品に関するデータを背景データに合成すると共に、この商品に関するデータからこの商品の購入受付用のハイパーテキストにリンクを張ったハイパーテキストを生成することを特徴とする、オンラインショッピングシステム」の点で一致し、以下の点で相違している。
［相違点１］
　販売手段が、本願発明では販売サーバであるのに対し、引用例１発明では特定されていない点。
［相違点２］
　背景データが、本願発明では背景画像であるのに対し、引用例１発明では商品一覧背景画面データであり、商品に関するデータが、本願発明では商品画像であるのに対し、引用例１発明では商品の画像データを含む商品情報であり、合成が、本願発明では商品画像を背景画像の上に重ねるものであるのに対し、引用例１発明ではそうではない点。
［相違点３］
　記憶手段が、本願発明では一つの記憶装置であるのに対し、引用例１発明では商品ＤＢとショップレイアウトＤＢの複数のＤＢから構成される点。
［相違点４］
　購入受付用のハイパーテキストが、本願発明では記憶手段に格納されているのに対し、引用例１発明では記憶手段に記憶されている商品情報と商品背景画面とから合成される点。
［相違点５］
　本願発明では、記憶装置に商品の最適な使用状況を提示するための背景画像と商品画像との対応表を格納し、背景画像または商品画像に関する送信要求によって、前記対応表に基づき背景画像に対応する商品画像または商品画像に対応する背景画像を選択しているのに対し、引用例１発明ではそうではない点。
［相違点６］
　購入受付用のハイパーテキストにリンクを張ったハイパーテキストが、本願発明では提案用であるのに対し、引用例１発明ではそうではない点。
　
６．判断
（６．１）［相違点１］について
　引用例１の上記摘記事項（ｄ）の第８２段落の「受信後の処理については、本発明の範囲外であるので、ここでは詳述しない。」との記載から、販売手段としてどのような実施形態を採用するかは当業者の設計事項と認められるので、引用例１発明において、具体的な販売手段を販売サーバとすることは当業者が容易に想到し得た事項である。
（６．２）［相違点２］，［相違点５］，［相違点６］について
　実店舗のショールームなどでは、商品の使用状況での展示を行うことが一般に行われており、商品と使用状況との対応関係は、システムキッチンならキッチン、ベッドならベッドルーム、テーブルならダイニングであるように、商品と使用状況はいずれかが決まればもう一方は必然的に決まるものである。
　このような一般常識を踏まえると、コンピュータ上で実際の使用状況に商品を重畳して合成することにより商品購入の参考とすることが上記周知文献に記載されているように周知技術であることから、引用例１発明において、生成するハイパーテキストとして、引用例２の上記摘記事項（ｅ）に記載されている、背景画像である商店画像データに商品の画像を重畳して表示する技術を採用して、商品画像を最適な使用状況となる背景画像の上に重ねて合成し、提案用のハイパーテキストとすることは当業者が容易に想到し得た事項であり、前記したとおり、商品と使用状況は、一方が決まればもう一方は必然的に決まるものであるから、背景画像と商品画像との対応表を用いて、背景画像または商品画像から背景画像に対応する商品画像または商品画像に対応する背景画像を選択することは当業者の設計事項である。
（６．３）［相違点３］について
　記憶手段の構成をどのようにするかは当業者の設計事項であり、引用例１発明の商品ＤＢとショップレイアウトＤＢの複数のＤＢを１つの記憶装置とすることは当業者が容易に想到し得た事項である。　
（６．４）［相違点４］について
　画面を逐次生成し表示するか、記憶装置に予め格納した画面を表示するかは、当業者が適宜選択し得る設計事項であり、引用例１発明において、商品が選択された時点で購入受付用のハイパーテキストを合成する代わりに、予め、購入受付用のハイパーテキストを記憶装置に格納しておくことは当業者が適宜なし得る事項である。
　
　以上判断したとおり、本願発明における上記相違点１ないし６に係る構成は当業者が容易に想到し得たものであり、これらを総合的に考慮しても、当業者が容易になし得たものといえるし、本願発明の作用効果も、引用例１及び２に記載された各発明から当業者が予測できる範囲のものである。
　したがって、本願発明は、引用例１及び２に記載された各発明に基づいて、当業者が容易に発明をすることができたものである。
　
７．むすび
　以上のとおり、本願請求項１に係る発明は、引用例１及び２に記載された各発明に基づいて、当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。